【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
車道の全幅又は左側車線を占有しながら、監視車が前方を監視しつつ先頭を進み、
次に、第１右方掻き寄せ型高速車道除雪車が、占有する車道又は車線の左側を進行しつつ、前回作業時の置き雪を含む車道の左側部の雪を右方に向かって掻き寄せて寄せ雪を形成し、
次に、第１左方掻き寄せ型高速車道除雪車が占有する車道又は車線の右側を進行しつつ、占有する車道又は車線の右側部の雪を含む雪を左方に向かって掻き寄せて寄せ雪を形成し、
次に、第２右方掻き寄せ型高速車道除雪車が、前記第１右方掻き寄せ型高速車道除雪車よりも後方やや右側に位置して進行しつつ、前記第１右方掻き寄せ型高速車道除雪車が形成した寄せ雪を含む雪を右方に向かって掻き寄せて寄せ雪を形成し、
次に、第２左方掻き寄せ型高速車道除雪車が、前記第１左方掻き寄せ型高速車道除雪車よりも後方やや左側に位置して進行しつつ、前記第１左方掻き寄せ型高速車道除雪車及び第２右方掻き寄せ型高速車道除雪車が形成した寄せ雪を含む雪を左方に向かって掻き寄せて寄せ雪を形成し、
次に、ロータリー車道除雪車が、前記第２左方掻き寄せ型高速車道除雪車が形成した寄せ雪を除雪し、車道の所定の左側部に排出して置き雪し、
次に、２ウエイ車道除雪車が、前記ロータリー車道除雪車が除雪又は排雪できなかった雪を除雪して前記置き雪側に掻き寄せることを特徴とする市街地に於ける道路の除雪方法。
【請求項２】
車道の交差路の除雪に於いて、前記第１右方掻き寄せ型高速車道除雪車が、交差する車道側である左方域に弧を描いて侵入して除雪を行い、車道の全幅を占有して除雪する場合、前記第１左方掻き寄せ型高速車道除雪車が、交差する車道側である右方域に弧を描いて侵入して除雪を行い、
前記除雪済みの車道と交差する車道に於ける交差路の除雪に於いては、前記第１右方掻き寄せ型高速車道除雪車が、交差する車道側である左方域に弧を描きながら更に深く侵入して除雪を行い、車道の全幅を占有して除雪する場合、前記第１左方掻き寄せ型高速車道除雪車が、交差する車道側である右方域に弧を描きながら更に深く侵入して除雪を行い、
その際、交差路が広幅で、前記ロータリー車道除雪車の除雪幅を超える場合は、前記２ウエイ車道除雪車を前記ロータリー車道除雪車より先行させ、前記第２右方掻き寄せ型高速車道除雪車と、前記第２左方掻き寄せ型高速車道除雪車とが掻き寄せた寄せ雪を前記２ウエイ車道除雪車によって掻き寄せ、前記２ウエイ車道除雪車が掻き寄せた雪を前記ロータリー車道除雪車が除雪し排雪することを特徴とする請求項１記載の市街地に於ける道路の除雪方法。
【請求項３】
ロータリー車道除雪車によって、歩道の雪を除雪し、除雪した雪を施設帯又は車道側部に置き雪することを特徴とする市街地に於ける道路の除雪方法。
【請求項４】
車道沿線の住居又は事業所等の周辺を除雪した雪を施設帯又は車道側部の所定スペースに置き雪することを特徴とする市街地に於ける道路の除雪方法。
【請求項５】
施設帯に置き雪した雪を含む施設帯の雪を小型ショベルカーによって除雪し、車道側部に排出して置き雪することを特徴とする市街地に於ける道路の除雪方法。
【請求項６】
車道の全幅又は左側車線を占有しながら、監視車が、占有する車道又は車線の前方を監視しつつ先頭を進み、
次に、右方掻き寄せ型高速車道除雪車が、占有する車道又は車線の左側部に置かれた置き雪を含む雪を右方に向かって掻き寄せると共に整正を行ないつつ寄せ雪を形成し、
次に、左方掻き寄せ型高速車道除雪車が、右方掻き寄せ型高速車道除雪車よりも後方やや右側に位置して進行し、前記右方掻き寄せ型高速車道除雪車が掻き寄せた雪を含む雪を左方に向かって掻き寄せると共に整正を行ないつつ寄せ雪を形成し、
次に、ロータリー車道除雪車が、前記左方掻き寄せ型高速車道除雪車が掻き寄せた寄せ雪を除雪してダンプカーに排出し、
前記ダンプカーは、積み込んだ雪を他所に搬送して排雪し、
最後尾で監視車が後方を監視することを特徴とする市街地に於ける道路の排雪方法。
【請求項７】
請求項３及び４の少なくとも１つに記載する市街地に於ける道路の除雪方法と、請求項５に記載する市街地に於ける道路の除雪方法と、請求項１乃至２のいずれか一に記載する市街地に於ける道路の除雪方法と、請求項６に記載する市街地に於ける道路の排雪方法とを、順次実行することを特徴とする市街地に於ける道路の除雪及び排雪方法。
【手続補正２】
【補正対象書類名】明細書
【補正対象項目名】０００９
【補正方法】変更
【補正の内容】
【０００９】
上記の課題を解決すべく、本発明は以下の構成を提供する。
請求項１に係る発明は、車道の全幅又は左側車線を占有しながら、監視車が前方を監視しつつ先頭を進み、
次に、第１右方掻き寄せ型高速車道除雪車が、占有する車道又は車線の左側を進行しつつ、前回作業時の置き雪を含む車道の左側部の雪を右方に向かって掻き寄せて寄せ雪を形成し、
次に、第１左方掻き寄せ型高速車道除雪車が占有する車道又は車線の右側を進行しつつ、占有する車道又は車線の右側部の雪を含む雪を左方に向かって掻き寄せて寄せ雪を形成し、
次に、第２右方掻き寄せ型高速車道除雪車が、前記第１右方掻き寄せ型高速車道除雪車よりも後方やや右側に位置して進行しつつ、前記第１右方掻き寄せ型高速車道除雪車が形成した寄せ雪を含む雪を右方に向かって掻き寄せて寄せ雪を形成し、
次に、第２左方掻き寄せ型高速車道除雪車が、前記第１左方掻き寄せ型高速車道除雪車よりも後方やや左側に位置して進行しつつ、前記第１左方掻き寄せ型高速車道除雪車及び第２右方掻き寄せ型高速車道除雪車が形成した寄せ雪を含む雪を左方に向かって掻き寄せて寄せ雪を形成し、
次に、ロータリー車道除雪車が、前記第２左方掻き寄せ型高速車道除雪車が形成した寄せ雪を除雪し、車道の所定の左側部に排出して置き雪し、
次に、２ウエイ車道除雪車が、前記ロータリー車道除雪車が除雪又は排雪できなかった雪を除雪して前記置き雪側に掻き寄せることを特徴とする市街地に於ける道路の除雪方法を提供するものである。
【手続補正３】
【補正対象書類名】明細書
【補正対象項目名】００１７
【補正方法】変更
【補正の内容】
【００１７】
以下、実施例を示した図面を参照しつつ本発明の実施の形態を説明する。
図１は、本発明の第１実施形態の市街地に於ける道路の除雪方法の概念図を示し、具体的には、市街地に於ける車道の除雪方法を示している。
尚、本発明は、車の左側通行が実施されている車道を前提に説明する。もし、車の右側通行が実施されている車道である場合は、左右を逆に組み替えて実施することになる。
本発明の第１実施形態の市街地に於ける道路の除雪方法は、例えば、降雪日の深夜早朝時間帯の２：００〜７：００の間の実働約４時間、約１５ｋｍ／ｈの走行速度で実施し、概ね４５ｋｍの車道区間を対象として行うものである。
第１実施形態の市街地に於ける道路の除雪方法は、車道１の全幅を占有しながら、進行方向に向かって前から順に、前方を監視する監視車２と、車道１の左側を進行し、車道１の左側部の雪を含む雪を右方に向かって掻き寄せる第１右方掻き寄せ型高速車道除雪車３と、車道１の右側を進行し、車道１の右側部の雪を含む雪を左方に向かって掻き寄せる第１左方掻き寄せ型高速車道除雪車４と、第１右方掻き寄せ型高速車道除雪車３よりもやや右側に位置し、第１右方掻き寄せ型高速車道除雪車３が掻き寄せた雪を含む雪を右方に向かって掻き寄せる第２右方掻き寄せ型高速車道除雪車５と、第１左方掻き寄せ型高速車道除雪車４よりもやや左側に位置し、第１左方掻き寄せ型高速車道除雪車４及び第２右方掻き寄せ型高速車道除雪車５が掻き寄せた雪を含む雪を左方に向かって掻き寄せる第２左方掻き寄せ型高速車道除雪車６と、第２左方掻き寄せ型高速車道除雪車６が掻き寄せた雪を除雪し、車道の左側部に排出し置き雪するロータリー車道除雪車７と、ロータリー車道除雪車７の後処理を行なう２ウエイ車道除雪車８とを配置し、夫々の各車を進行方向に向かって進行稼動させ、除雪を行なう方法である。
尚、前記第１右方掻き寄せ型高速車道除雪車３、第１左方掻き寄せ型高速車道除雪車４、第２右方掻き寄せ型高速車道除雪車５、及び、第２左方掻き寄せ型高速車道除雪車６は、フロントプラウと整正装置を兼ね備え、除雪と共に、整正も行なうものである。
又、前述の除雪方法は、車道の全幅に於いて実施されるが、例えば、中央分離帯を有する様な超広幅車道の場合に於いては、１本の車道を２本の車道として扱い、夫々片側車線（日本に於いては、左側通行であるため、左側車線になる）毎に同様の除雪方法を実施する。
【手続補正４】
【補正対象書類名】明細書
【補正対象項目名】００１９
【補正方法】変更
【補正の内容】
【００１９】
次に、第２右方掻き寄せ型高速車道除雪車５が、第１右方掻き寄せ型高速車道除雪車３よりも後方やや右側に位置して進行しつつ、寄せ雪１０を含む雪を右方に向かって掻き寄せて寄せ雪１２を形成し、次に、第２左方掻き寄せ型高速車道除雪車６が、第１左方掻き寄せ型高速車道除雪車４よりも後方やや左側に位置して進行しつつ、寄せ雪１１，１２を含む雪を左方に向かって掻き寄せて寄せ雪１３を形成する。
【手続補正５】
【補正対象書類名】明細書
【補正対象項目名】００２２
【補正方法】変更
【補正の内容】
【００２２】
次に、第２右方掻き寄せ型高速車道除雪車５が、図示とは異なるが、第１右方掻き寄せ型高速車道除雪車３よりも後方やや右側に位置して進行しつつ、寄せ雪１０を含む雪を右方に向かって掻き寄せて寄せ雪１２を形成し、次に、第２左方掻き寄せ型高速車道除雪車６が、図示とは異なるが、第１左方掻き寄せ型高速車道除雪車４よりも後方やや左側に位置して進行しつつ、寄せ雪１１，１２を含む雪を左方に向かって掻き寄せて寄せ雪１３を形成する。
【手続補正６】
【補正対象書類名】図面
【補正対象項目名】図３
【補正方法】変更
【補正の内容】
【図３】
2010013846.tif 000001